(57)【要約】【課題】建物の壁とユニットバス本体との距離によらず、両者の間に配線が噛み込まれることを回避することができるユニットバス及び該ユニットバスの設置方法を得る。【解決手段】ユニットバス１０では、ユニットバス本体１２の浴室３２の角隅、つまり、平面視で側壁１４、１６、１８、２０よりも内側の領域に配線収容部４６が設けられており、浴室３２内に設けられたテレビ４２と、天井２４の上部に設けられた制御装置とを接続する配線５２の中間部が、配線収容部４６の内側に設けられた配線スペース５０に収容されている。【選択図】図１
2011196110.tif 000002
【特許請求の範囲】
【請求項１】
側壁及び天井を有するユニットバス本体と、
平面視で前記側壁よりも内側の領域に設けられ、配線を収容する配線収容部と、
を備えたユニットバス。
【請求項２】
前記配線収容部は、前記天井の上方側に連通されていることを特徴とする請求項１に記載のユニットバス。
【請求項３】
前記配線収容部は、前記側壁の浴室側に設けられていることを特徴とする請求項１又は請求項２に記載のユニットバス。
【請求項４】
前記配線収容部は、浴室の角隅、又は洗い場と浴槽との境目に設けられていることを特徴とする請求項３に記載のユニットバス。
【請求項５】
前記配線収容部は、シャワーフックをスライド可能に支持するスライドレールによって構成されていることを特徴とする請求項３に記載のユニットバス。
【請求項６】
前後左右の側壁が建物の壁に対向して配置されるユニットバス本体と、
前記ユニットバス本体の外側に配置され、一端側が前記前後左右の側壁のうちの一の側壁側へ配策されると共に、他端側が前記前後左右の側壁のうち前記一の側壁とは異なる側壁に沿って前記ユニットバス本体の天井の上方側へ配策される配線と、
を備えたユニットバス。
【請求項７】
前記天井と前記前後左右の側壁とは前記建物の壁側へ突出した天井継ぎ材を介して結合され、前記前後左右の側壁は、前記天井継ぎ材の下方に配置された平継ぎ補強材を介して結合された複数の壁パネルにより構成されると共に、前記配線の中間部は、前記天井継ぎ材と前記平継ぎ補強材との間に配置されることを特徴とする請求項６に記載のユニットバス。
【請求項８】
前記天井継ぎ材と前記平継ぎ補強材との間には、前記配線の中間部を保持する保持手段が設けられていることを特徴とする請求項７に記載のユニットバス。
【請求項９】
浴室内の利用者の身体情報を検出する生体センサと、
前記生体センサの検出結果および前記利用者が予め登録した自身の身体情報に基づいて、前記ユニットバス本体に設けられた機器を制御する制御装置と、
を備えたことを特徴とする請求項１〜請求項８の何れか１項に記載のユニットバス。
【請求項１０】
前記生体センサは、静脈センサ、温度センサ、応力センサ、及びアルコールセンサのうち少なくとも１つを有し、前記少なくとも１つは、浴室の手摺及び洗い場の床の一方又は両方に設けられていることを特徴とする請求項９に記載のユニットバス。
【請求項１１】
請求項１〜請求項１０の何れか１項に記載のユニットバスを建物に設置する際のユニットバス設置方法であって、前記ユニットバス本体の前後左右の側壁のうち隣合う一対の側壁と建物の側壁との間の各距離を特定の窓用額縁の奥行き寸法に対応して同等に設定する一方、前記前後左右の側壁のうち前記一対の側壁とは異なる一の側壁と建物の間仕切壁との間の距離を特定のドア用額縁の奥行き寸法に対応して設定することを特徴とするユニットバス設置方法。
【発明の詳細な説明】
【技術分野】
【０００１】
本発明は、ユニットバス及びユニットバスを建物に設置する際の設置方法に関する。
【背景技術】
【０００２】
下記特許文献１に示された浴室ユニットでは、ユニットの外側に取り付けられた配線ダクトを用いて配線を配設するようにしている。
【先行技術文献】
【特許文献】
【０００３】
【特許文献１】特開平２−２２１５６２号公報
【発明の概要】
【発明が解決しようとする課題】
【０００４】
しかしながら、上述の如き配線方法では、浴室ユニット（ユニットバス本体）を建物内に設置する際の建物の壁とユニットバス本体との距離によっては、両者の間に配線が噛み込まれる恐れがある。
【０００５】
本発明は上記事実を考慮し、建物の壁とユニットバス本体との距離によらず、両者の間に配線が噛み込まれることを回避することができるユニットバス及び該ユニットバスの設置方法を得ることが目的である。
【課題を解決するための手段】
【０００６】
請求項１に記載の発明に係るユニットバスは、側壁及び天井を有するユニットバス本体と、平面視で前記側壁よりも内側の領域に設けられ、配線を収容する配線収容部と、を備えている。
【０００７】
請求項１に記載のユニットバスでは、平面視でユニットバス本体の側壁よりも内側の領域に配線を収容する配線収容部が設けられているため、建物の壁とユニットバス本体との距離によらず、両者の間に配線が噛み込まれることを回避することができる。
【０００８】
請求項２に記載の発明に係るユニットバスは、請求項１に記載のユニットバスにおいて、前記配線収容部は、前記天井の上方側に連通されていることを特徴としている。
【０００９】
請求項２に記載のユニットバスでは、ユニットバス本体に設けられた配線収容部が、ユニットバス本体の天井の上方側に連通されているため、配線収容部内に収容された配線を、ユニットバス本体の天井の上部に設けられた制御装置等へ容易に配策することができる。
【００１０】
請求項３に記載の発明に係るユニットバスは、請求項１又は請求項２に記載のユニットバスにおいて、前記配線収容部は、前記側壁の浴室側に設けられていることを特徴としている。
【００１１】
請求項３に記載のユニットバスでは、ユニットバス本体の配線収容部が、ユニットバス本体の側壁の浴室側に設けられているため、配線をユニットバス本体の側壁に沿わせて配策する場合に好適である。
【００１２】
請求項４に記載の発明に係るユニットバスは、請求項３に記載のユニットバスにおいて、前記配線収容部は、浴室の角隅、又は洗い場と浴槽との境目に設けられていることを特徴としている。
【００１３】
請求項４に記載のユニットバスでは、ユニットバス本体の配線収容部が、ユニットバス本体の側壁の浴室側において、浴室の角隅、又は洗い場と浴槽との境目に設けられているため、浴室のデッドスペースを有効活用することができる。
【００１４】
請求項５に記載の発明に係るユニットバスは、請求項３に記載のユニットバスにおいて、前記配線収容部は、シャワーフックをスライド可能に支持するスライドレールによって構成されていることを特徴としている。
【００１５】
請求項５に記載のユニットバスでは、ユニットバス本体の配線収容部が、シャワーフックをスライド可能に支持するスライドレールによって構成されているため、ユニットバス本体に既設されたスライドレールを有効活用することができる。
【００１６】
請求項６に記載の発明に係るユニットバスは、前後左右の側壁が建物の壁に対向して配置されるユニットバス本体と、前記ユニットバス本体の外側に配置され、一端側が前記前後左右の側壁のうちの一の側壁側へ配策されると共に、他端側が前記前後左右の側壁のうち前記一の側壁とは異なる側壁に沿って前記ユニットバス本体の天井の上方側へ配策される配線と、を備えたことを特徴としている。
【００１７】
請求項６に記載のユニットバスでは、ユニットバス本体の前後左右の側壁のうち、配線の一端側が配策される一の側壁と建物の壁との距離が狭い場合でも、配線の他端側がユニットバス本体の前後左右の側壁のうち前記一の側壁とは異なる側壁に沿ってユニットバス本体の天井の上方側へ配策されるため、前記一の側壁と建物の壁との距離によらず、両者の間に配線が噛み込まれることを回避することができる。
【００１８】
請求項７に記載の発明に係るユニットバスは、請求項６に記載のユニットバスにおいて、前記天井と前記前後左右の側壁とは前記建物の壁側へ突出した天井継ぎ材を介して結合され、前記前後左右の側壁は、前記天井継ぎ材の下方に配置された平継ぎ補強材を介して結合された複数の壁パネルにより構成されると共に、前記配線の中間部は、前記天井継ぎ材と前記平継ぎ補強材との間に配置されることを特徴としている。
【００１９】
請求項７に記載のユニットバスでは、ユニットバス本体の天井と前後左右の側壁とが、建物の壁側へ突出した天井継ぎ材を介して結合されている。また、ユニットバス本体の前後左右の側壁は、天井継ぎ材の下方に配置された平継ぎ補強材を介して結合された複数の壁パネルにより構成されている。そして、一端側がユニットバス本体の前後左右の側壁のうち一の側壁側へ配策され、他端側がユニットバス本体の前後左右の側壁のうち前記一の側壁とは異なる側壁に沿ってユニットバス本体の天井の上方側へ配策される配線は、天井継ぎ材と平継ぎ補強材との間に中間部が配置される。これにより、配線の中間部の配策経路を良好に確保することができる。
【００２０】
請求項８に記載の発明に係るユニットバスは、請求項７に記載のユニットバスにおいて、前記天井継ぎ材と前記平継ぎ補強材との間には、前記配線の中間部を保持する保持手段が設けられていることを特徴としている。
【００２１】
請求項８に記載のユニットバスでは、天井継ぎ材と平継ぎ補強材との間に設けられた保持手段が配線の中間部を保持するため、天井継ぎ材と平継ぎ補強材との間に配線の中間部を仮留め等することができる。これにより、配線の配策作業を容易なものにすることができる。
【００２２】
請求項９に記載の発明に係るユニットバスは、請求項１〜請求項８の何れか１項に記載のユニットバスにおいて、浴室内の利用者の身体情報を検出する生体センサと、前記生体センサの検出結果および前記利用者が予め登録した当該利用者の身体情報に基づいて、前記ユニットバス本体に設けられた機器を制御する制御装置と、を備えたことを特徴としている。
【００２３】
請求項９に記載のユニットバスでは、生体センサは、浴室内の利用者の身体情報（例えば、体温、体重、脈など）を検出する。また、制御手段は、生体センサの検出結果および利用者が予め登録した当該利用者の身体情報に基づいて、ユニットバス本体に設けられた機器（例えば、給湯装置、ジェットバス装置、照明器具、テレビ、換気扇、暖房装置など）を制御する。これにより、個々の利用者の体調や嗜好等に応じて、最適な浴室環境を提供することができる。しかも、本発明は、請求項１〜請求項８の何れか１項に記載のユニットバスに対して適用されるため、上記各機器への配線が建物の壁とユニットバス本体との間に噛み込まれることを回避することができる。
【００２４】
請求項１０に記載の発明に係るユニットバスは、請求項９に記載のユニットバスにおいて、前記生体センサは、静脈センサ、温度センサ、応力センサ、及びアルコールセンサのうち少なくとも１つを有し、前記少なくとも１つは、浴室の手摺及び洗い場の床の一方又は両方に設けられていることを特徴としている。
【００２５】
請求項１０に記載のユニットバスでは、浴室の手摺及び洗い場の床の一方又は両方に、静脈センサ、温度センサ、応力センサ、及びアルコールセンサのうち少なくとも１つが設けられており、当該少なくとも一つによって利用者の身体情報が検出される。これにより、利用者の身体情報を良好に検出することができる。
【００２６】
請求項１１に記載の発明に係るユニットバス設置方法は、請求項１〜請求項１０の何れか１項に記載のユニットバスを建物に設置する際のユニットバス設置方法であって、前記ユニットバス本体の前後左右の側壁のうち隣合う一対の側壁と建物の側壁との間の各距離を特定の窓用額縁の奥行き寸法に対応して同等に設定する一方、前記前後左右の側壁のうち前記一対の側壁とは異なる一の側壁と建物の間仕切壁との間の距離を特定のドア用額縁の奥行き寸法に対応して設定することを特徴としている。
【００２７】
請求項１１に記載のユニットバス設置方法では、ユニットバス本体の前後左右の側壁のうち隣合う一対の側壁と建物の側壁との間の各距離が、特定の窓用額縁の奥行き寸法に対応して同等に設定される。これにより、建物の側壁に取り付けられる窓用額縁を１種類で対応することができる。さらに、ユニットバス本体の前後左右の側壁のうち前記一対の側壁とは異なる一の側壁と建物の間仕切壁との間の距離が、特定のドア用額縁の奥行き寸法に対応して設定される。これにより、建物の間仕切壁に取り付けられるドア用額縁を１種類で対応することができる。しかも、請求項１〜請求項１０の何れか１項に記載のユニットバスに対して本設置方法が適用されるため、建物の壁とユニットバス本体との距離によらず、両者の間に配線が噛み込まれることを回避することができる。
【発明の効果】
【００２８】
以上説明したように、請求項１に記載の発明に係るユニットバスでは、建物の壁とユニットバス本体との距離によらず、両者の間に配線が噛み込まれることを回避することができる。
【００２９】
請求項２に記載の発明に係るユニットバスでは、配線収容部内に収容された配線を、ユニットバス本体の天井の上部に設けられた制御装置等へ容易に配策することができる。
【００３０】
請求項３に記載の発明に係るユニットバスでは、配線をユニットバス本体の側壁に沿わせて配策する場合に好適である。
【００３１】
請求項４に記載の発明に係るユニットバスでは、浴室のデッドスペースを有効活用することができる。
【００３２】
請求項５に記載の発明に係るユニットバスでは、ユニットバス本体に既設されたスライドレールを有効活用することができる。
【００３３】
請求項６に記載の発明に係るユニットバスでは、建物の壁とユニットバス本体との距離によらず、両者の間に配線が噛み込まれることを回避することができる。
【００３４】
請求項７に記載の発明に係るユニットバスでは、配線の中間部の配策経路を良好に確保することができる。
【００３５】
請求項８に記載の発明に係るユニットバスでは、配線の配策作業を容易なものにすることができる。
【００３６】
請求項９に記載の発明に係るユニットバスでは、個々の利用者の体調や嗜好等に応じて、最適な浴室環境を提供することができる。
【００３７】
請求項１０に記載の発明に係るユニットバスでは、利用者の身体情報を良好に検出することができる。
【００３８】
請求項１１に記載の発明に係るユニットバスでは、建物の壁とユニットバス本体との距離によらず、両者の間に配線が噛み込まれることを回避することができる。しかも、窓用額縁及びドア用額縁をそれぞれ１種類で対応することができる。
【図面の簡単な説明】
【００３９】
【図１】本発明の第１実施形態に係るユニットバスの構成を示す斜視図である。
【図２】図１の２−２線に沿った切断面を示す断面図である。
【図３】図１に示されたユニットバスの一部を拡大して示す拡大断面図である。
【図４】図１に示されたユニットバスの変形例を示す図２に対応した断面図である。
【図５】図１に示されたユニットバスの変形例を示す縦断面図である。
【図６】ユニットバスの側壁と建物の壁との間に配線が噛み込まれた状態を説明するための図３に対応した拡大断面図である。
【図７】本発明の第２実施形態に係るユニットバスの構成を示す斜視図である。
【図８】図７に示されたユニットバスの一部を拡大して示す拡大断面図である。
【図９】配線の配策経路を説明するための図である。
【図１０】本発明の第３実施形態に係るユニットバスの電気系統の概略を示すブロック図である。
【図１１】本発明の第４実施形態に係るユニットバス設置方法の基本設定を説明するためのユニットバスの配置図である。
【図１２】本発明の第４実施形態に係るユニットバス設置方法が適用されたユニットバスの配置レイアウトの一例を示し、建物の側壁（一般内壁）が基本位置の場合の配置図である。
【図１３】本発明の第４実施形態に係るユニットバス設置方法が適用されたユニットバスの配置レイアウトの他の例を示し、建物の側壁（一般内壁）が基本位置でない場合の配置図である。
【図１４】本発明の第４実施形態に係るユニットバス設置方法が適用されたユニットバスの配置レイアウトの更に他の例を示し、ユニットバス本体の側壁のうちの３つが建物の側壁に対向して配置された場合の配置図である。
【図１５】本発明の第４実施形態に係るユニットバス設置方法が適用されて建物に設置されたユニットバスの配置図である。
【図１６】従来例に係るユニットバスの配置図が示されている。
【図１７】本発明の第４実施形態に係るユニットバス設置方法が適用されて建物に設置されたユニットバスの配置図である。
【図１８】従来例に係るユニットバスの配置図が示されている。
【発明を実施するための形態】
【００４０】
＜第１の実施形態＞
以下、図１〜図６を参照して、本発明の第１の実施形態に係るユニットバス１０について説明する。
【００４１】
図１及び図２に示されるように、本第１実施形態に係るユニットバス１０は、ユニットバス本体１２を備えている。このユニットバス本体１２は、前側壁１４、後側壁１６、右側壁１８、左側壁２０、底壁２２、及び天井２４を備えており、中空の直方体状に形成されている。
【００４２】
前側壁１４、後側壁１６、右側壁１８、及び左側壁２０の各上端部と、天井２４の周縁部とは、天井継ぎ材２６（図３参照。図３以外では図示省略）を介して結合されている。また、前側壁１４、後側壁１６、右側壁１８、及び左側壁２０は、横方向に並んだ一対の壁パネル２８（図１及び図３参照）が、天井継ぎ材２６の下方に配置された平継ぎ補強材３０（図３参照。図３以外では図示省略）によって結合されることにより構成されている。
【００４３】
なお、本実施形態では、ユニットバス本体１２は、図２に示されるように、前側壁１４及び右側壁１８が建物の側壁６０（一般内壁）に対向して配置され、後側壁１６及び左側壁２０が建物の間仕切壁６２（側壁６０よりも薄い壁）に対向して配置されているが、これは単なる一例であり、ユニットバス本体１２の建物への設置状況は、建物の構造などにより適宜変更されるものである。
【００４４】
図２に示されるように、ユニットバス本体１２の内部には、浴室３２が設けられている。浴室３２の奥側（右側壁１８側）には、浴槽３４が設けられており、浴室３２の手前側（左側壁２０側）は、洗い場３６とされている。洗い場３６の一側（前側壁１４側）には、カウンター３８が設けられており、洗い場３６の他側（後側壁１６側）には、ドア４０が設けられている。なお、浴槽３４、洗い場３６、カウンター３８、及びドア４０などの配置は、図１、図２、図４、図５に示される構成に限らず、適宜変更することができる。
【００４５】
さらに、本実施形態では、前側壁１４には、浴槽３４の上側においてテレビジョン４２（以下、単に「テレビ４２」という」が取り付けられており、このテレビ４２と右側壁１８との間である浴室３２の角隅には、配線収容部４６が設けられている。この配線収容部４６は、前側壁１４、右側壁１８、及び前側壁１４と右側壁１８との間に斜めに掛け渡された縦壁４８とによって構成されており、上下方向に延在している。つまり、この実施形態では、ユニットバス本体１２の側壁の浴室３２側（平面視で側壁１４、１６、１８、２０よりも内側の領域）に配線収容部４６が設けられている。
【００４６】
この配線収容部４６の内側には、断面三角形の配線スペース５０が形成されている。この配線スペース５０は、図１に示されるように、上端側がユニットバス本体１２の天井２４の上方側に連通されており、下端側がユニットバス本体１２の下部側に連通されている。この配線スペース５０には、配線５２（ケーブル）の中間部が挿通されている。この配線５２の一端部は、前側壁１４に形成された貫通孔を介して浴室側に挿入され、テレビ４２に接続されている。また、配線５２の他端側は、天井２４の上側に引き出されている。この配線５２の他端部は、図示しない制御装置に接続される構成になっている。
【００４７】
なお、他の実施形態では、図４に示されるように、浴室３２の他の角隅や、洗い場３６と浴槽３４との境目に配線収容部４６（配線スペース５０）を設けてもよい。また、図５に示されるように、ユニットバス本体１２が、シャワーフック５４を上下にスライド可能に支持するスライドレール５６を備えている場合には、スライドレール５６の内側に配線スペースを設けることにより、スライドレール５６によって配線収容部を構成することもできる。さらに、図５に示されるように、洗い場３６の床と底壁２２との間、及び浴槽３４と底壁２２との間の空間を配線スペース５８とすることにより、浴室３２の下側に配線収容部を設けることもできる。
【００４８】
また、図４に二点鎖線で示されるように、ユニットバス本体１２の側壁の一部を開閉可能に構成することにより、配線スペース５０をユニットバス本体１２の外側へ開放できるようにすることが好ましい。これにより、配線スペース５０のメンテナンスが容易になる。
【００４９】
次に、本第１実施形態の作用及び効果について説明する。
上記構成のユニットバス１０では、ユニットバス本体１２の浴室３２の角隅、つまり、平面視で側壁１４、１６、１８、２０よりも内側の領域に配線収容部４６が設けられており、浴室３２内に設けられたテレビ４２と、天井２４の上部に設けられた制御装置とを接続する配線５２の中間部が、配線収容部４６の内側（配線スペース５０）に収容されている。したがって、テレビ４２が取り付けられた前側壁１４と、建物の側壁６０（一般内壁）との間の距離が狭い場合でも、両者の間に配線が噛み込まれることを回避することができる。
【００５０】
つまり、ユニットバス本体１２が建物に設置される際には、設置誤差などによって、ユニットバス本体１２と建物の側壁６０との間の距離が狭くなることがある。このため、例えば、図６に示されるように、ユニットバス本体１２の外側（領域外）において、配線５２が前側壁１４に沿って天井２４の上側へと配策されている場合には、天井継ぎ材２６と建物の側壁６０との間に配線５２が噛み込まれてしまう恐れがあるが、本実施形態ではこれを回避することができる。
【００５１】
換言すれば、本実施形態では、建物の側壁６０とユニットバス本体１２との間の隙間（建物のデッドスペース）に、配線を配策するためのスペースを確保する必要がないため、狭いところにユニットバス１０を設置することができる。これにより、建物のデッドスペースを最小限に抑えることができるので、建物の空間を有効活用することができる。また、建物側に配線スペースを確保する必要がないため、建物のモジュールを変更することなく同じサイズのユニットバス１０を設置できる。したがって、機能が増えて配線の数が増加することにより、配線の処理が困難になってきている近年の多機能ユニットバスに対して特に有効である。
【００５２】
しかも、本ユニットバス１０では、配線収容部４６の配線スペース５０がユニットバス本体１２の天井２４の上方側に連通されているため、配線スペース５０に収容された配線を、天井２４の上部に設けられた制御装置へ容易に配策することができる。
【００５３】
また、本ユニットバス１０では、ユニットバス本体の配線収容部が、ユニットバス本体１２の側壁（ここでは前側壁１４）の浴室３２側に設けられているため、本実施形態のように、配線５２をユニットバス本体１２の側壁に沿わせて上下方向に配策する場合に好適である。さらに、本ユニットバス１０では、配線収容部４６が、浴室３２の角隅に設けられているため、浴室３２のデッドスペースを有効活用することができる。
【００５４】
なお、図４に示されるように、配線収容部４６が洗い場３６と浴槽３４との境目に設けられている場合でも、同様に浴室３２のデッドスペースを有効活用することができる。また、図５に示されるシャワーフック５４のスライドレール５６によって配線収容部が構成されている場合には、ユニットバス本体１２に既設されたスライドレール５６を有効活用することができる。
【００５５】
次に、本発明の他の実施形態について説明する。なお、前記第１実施形態と基本的に同様の構成・作用については、前記第１実施形態と同符号を付与し、その説明を省略する。
【００５６】
＜第２の実施形態＞
図７には、本発明の第２の実施形態に係るユニットバス７０が斜視図にて示されている。このユニットバス７０は、前記第１実施形態に係るユニットバス１０と基本的に同様の構成とされている。但し、このユニットバス７０では、前記第１実施形態に係る配線収容部４６が省略されており、テレビ４２の配線５２がユニットバス本体１２の外側（領域外）から天井２４の上方側に配策されている。
【００５７】
具体的には、配線５２は、テレビ４２に接続された一端側が前側壁１４の外側面に沿って前側壁１４の上端部まで立ち上げられている。配線５２の中間部は、図８に示されるように、前側壁１４の上端部において、天井継ぎ材２６と平継ぎ補強材３０との間を通って略水平に右側壁１８側へ配策されている。また、配線５２の中間部は、天井継ぎ材２６と平継ぎ補強材３０との間で前側壁１４に取り付けられたフック７２（保持手段）に引っ掛けられて保持されている。そして、この配線５２の他端側は、右側壁１８の外側面に沿って天井２４の上側へ配策されている。なお、この配線５２の他端部は、前記第１実施形態と同様に、天井２４の上部に設けられた図示しない制御装置に接続される構成になっている。
【００５８】
上記構成のユニットバス７０では、前記第１実施形態に係るユニットバス１０と同様に、テレビ４２が取り付けられた前側壁１４と建物の側壁６０（一般内壁）との間に十分な隙間を確保できない場合に有効である。つまり、図９（Ａ）に示されるように、前側壁１４が建物の間仕切壁６０に対向して配置される場合には、両者の間に十分な隙間が確保されるため、配線５２を前側壁１４に沿わせて天井２４の上方側へ配策することができるが、前側壁１４が建物の側壁６０に対向して配置される場合には、両者の間に十分な隙間が確保されないことがある。このような場合でも、本実施形態では、前側壁１４とは異なる側壁（ここでは右側壁１８）に沿って配線５２が天井２４の上方側へ立ち上げられるため、右側壁１８と建物の壁（側壁６０又は間仕切壁６０）との間に十分な隙間が確保されていれば、両者の間に配線５２が噛み込まれることを防止できる。なお、配線５２の配策経路は、図９（Ｂ）及び図９（Ｃ）に示されるように、浴槽３４及びテレビ４２の配置、側壁６０及び間仕切壁６０の配置、ユニットバス本体１２のサイズなどに応じて適宜変更することができる。
【００５９】
また、本実施形態では、配線５２の中間部が天井継ぎ材２６と平継ぎ補強材３０との間に配置されるため、配線５２の中間部の配策経路を良好に確保することができる。さらに、本実施形態では、天井継ぎ材２６と平継ぎ補強材３０との間に設けられたフック７２によって配線５２の中間部が保持されるため、天井継ぎ材２６と平継ぎ補強材３０との間に配線５２の中間部を仮留め等することができる。これにより、配線５２の配策作業を容易なものにすることができる。
【００６０】
なお、上記第１実施形態及び第２実施形態では、前側壁１４に取り付けられたテレビ４２に配線５２が接続される場合について説明したが、請求項１〜請求項８に係る発明はこれに限らず、ユニットバス本体１２の他の場所に設けられた他の機器に配線が接続する場合にも適用することができる。
【００６１】
＜第３の実施形態＞
図１０には、本発明の第３の実施形態に係るユニットバスの電気系統の概略がブロック図にて示されている。この実施形態は、前記第１実施形態又は前記第２実施形態と基本的に同様の構成とされているが、この実施形態では、ユニットバス本体１２に、静脈センサ７６、温度センサ７８、応力センサ８０、及びアルコールセンサ８２（何れも生体センサ）が組み込まれている。これらの生体センサは、浴室３２に設けられた図示しない手摺（握りバー）及び洗い場３６の床の一方又は両方に取り付けられており、それぞれが配線を介して天井２４の上部に設けられた制御装置８６に接続されている。この制御装置８６は、各生体センサの検出結果に基づいて、浴室内の利用者の身体情報（体温、体重、脈、酔っているか否か等）を検知する構成になっている。
【００６２】
また、制御装置８６には、浴室内又は浴室外に設けられた入力装置８４が配線を介して接続されている。この入力装置８４は、本ユニットバスを利用する利用者が個人の身体情報（体温、体重、脈、血圧、視力、張力など）及び嗜好（以下、これらを「ＩＤ情報」という）を制御装置８６に登録するための装置であり、例えばタッチパネルなどが採用される。
【００６３】
さらに、制御装置８６には、ユニットバス本体１２に設けられた給湯装置８８、照明器具９０、テレビ４２、換気扇９２、暖房装置９４、及びジェットバス装置９６（何れも機器）が、配線を介して接続されている。なお、上記各生体センサ、入力装置８４、及び上記各機器からの制御装置８６への配線の配策経路としては、前記第１実施形態又は前記第２実施形態に係る配策経路が採用されている。
【００６４】
ここで、上述の制御装置８６は、予め登録された利用者のＩＤ情報と、各生体センサが検出した利用者の身体情報との差を検知し、当該検知結果に基づいて上記各機器の作動を制御することにより、浴室環境の最適制御を行う構成になっている。
【００６５】
例えば、制御装置８６は、浴室内に利用者が入る瞬間に、生体センサによって当該利用者の体温を検出し、当該検出結果に合わせて換気扇９２や暖房装置９４の作動を制御することにより、浴室の温度を制御する。また、生体センサの検出前のお湯の温度がぬるめになっている場合には、生体センサが検出した利用者の体調に合わせて給湯装置８８の作動を制御することにより、お湯の温度を上げる。なお、利用者の血圧が高いときなど、体調により湯温を上げすぎると危険であると判断した場合は、制御装置８６は、予め登録された温度まで湯温を上昇させない場合もある。例えば、利用者の体温が高い又は低いとき、利用者の体重が増加又は減少したとき、利用者が風をひいているとき（体温が高いとき）、或いは利用者が酒に酔っているとき（アルコールが検出されたときや体温が高いとき）等である。
【００６６】
さらに、生体センサが検出した利用者の日々の身体情報の変化の履歴を制御装置８６が記憶することにより、利用者の体調・健康管理に活用することもできる。また、必要に応じて、制御装置８６のロックを解除し、浴室環境の制御を中止させることもできる。また、外部情報（天候、明るさ、気温、湿度、時間など）を検出可能なセンサを追加し、これを制御装置８６に接続することにより、外部情報に応じた浴室環境の自動制御を行うこともできる。
【００６７】
以下、制御装置８６に予め登録されたＩＤ情報の活用方法について説明する。本実施形態では、制御装置８６は、予め登録された利用者のＩＤ情報（身体情報及び嗜好）に合わせて浴室環境を制御することができる。例えば、制御装置８６は、利用者が浴室に入ると、その利用者のＩＤ情報を元に、お湯の温度、ジェットバスの強さ、照明の明るさ、テレビのチャンネル・音量・明るさ、及び浴室内の温度などを、利用者の身体情報と嗜好に合わせて制御する。
【００６８】
また、制御装置８６は、複数の利用者の身体情報を同時に検出した場合、予め登録された優先順に基づき制御する。優先順は、住人を最優先とし、利用者間で予め決めた登録順とする。これにより、制御装置８６は、優先順を考慮して各機器を制御する。優先順の登録がない場合には、制御装置８６は、住人の中で最も身体が弱いもの（車椅子使用者、高齢者、子供、使用時に生体認証でわかる体調の悪い人）を優先して各機器の制御を行う。また、制御装置８６は、複数の利用者の身体情報を認識した場合、前述した優先順での特定の個人の設定によるのみではなく、認識された複数の利用者の身体情報の平均値を算出し、当該算出結果に基づいて各機器を制御する。
【００６９】
或いは、制御装置８６は、複数の利用者の身体情報の組合せ毎に最適な設定が登録されている場合には、その設定に従って各機器の作動を制御する。例えば、車椅子使用者等とその介助人という組合せ等が登録されている場合には、制御装置８６は、その組合せに最適な設定で各機器の作動を制御する。また、制御装置８６は、優先順の低い利用者を認識した後に優先順の高い利用者を認識した場合には、設定を変更しないようにすることもできるし、自動で徐々に優先度の高い利用者の設定に変更する等、変更方法を設定しておくこともできる。或いは、制御装置８６が、表示画面、音声ガイド等により設定を変更するか否かを利用者に問い合わせる構成にしてもよい。
【００７０】
また、制御装置８６は、浴室内に既に利用者が居る場合は、後の利用者の使用を禁止するようにしてもよい。但し、緊急の事態（浴室内のある部位に衝撃が与えられた場合、機器の故障が発生した場合等）が発生した場合、又は浴室内に一定の時間以上利用者が居る場合には、後の人の使用が可能になるようにしてもよい。なお、入浴目安時間は利用者毎に予め制御装置８６に登録するか、制御装置８６の記憶媒体が各利用者の入浴時間を学習し、その利用者の平均使用時間として登録することもできる。また、利用者によっては浴室の使用を禁止することもできる。
【００７１】
＜第４の実施形態＞
次に、本発明の第４の実施形態に係るユニットバス設置方法について説明する。本ユニットバス設置方法は、メーターモジュールの建物（住宅）の中において、予め決められた１７５０ｍｍのヴォイド空間に、１６００ｍｍサイズのユニットバスを設置する際の効率の良い設置方法とその周辺部との取り合いに関するものである。また、本ユニットバス設置方法は、前記第１実施形態に係るユニットバス１０、前記第２実施形態に係るユニットバス７０、又は前記第３実施形態に係るユニットバスに対して適用されるものである。以下、具体的に説明する。
【００７２】
ユニットバスは通常、前後左右の側壁のうち１つ以上が建物の側壁に対向するように配置されるが、採光及び換気を良好にするためには、ユニットバスの前後左右の側壁のうち１つ以上に窓が設けられることが好ましい。これを実現するために、先ずユニットバス設置位置の最も基本となる寸法を決める。ここでは、ユニットバスの前後左右の側壁のうち、窓のつく可能性のある側壁を２つ、ドアのつく可能性のある側壁を２つとする。図１１に示された例では、建物の側壁（一般内壁）に対向して配置された側壁Ｃ及び側壁Ｄが窓のつく可能性のある側壁であり、建物の間仕切壁に対向して配置された側壁Ａ及び側壁Ｂがドアのつく可能性のある側壁である。
【００７３】
次に、側壁Ｃの内側表面及び側壁Ｄの内側表面と建物の一般内壁との間の各距離Ｌ１を特定の窓用額縁の奥行き寸法に対応して同等に設定すると共に、側壁Ａの内側表面及び側壁Ｂの内側表面と建物の他の壁（間仕切壁など）との間の各距離Ｌ２を特定のドア用額縁の奥行き寸法に対応して同等に設定する。図１２に示された例では、距離Ｌ１が特定の窓用額縁の奥行き寸法に対応して８５ｍｍに設定され、距離Ｌ２が特定のドア用額縁に対応して６５ｍｍに設定されている。ここで、８５ｍｍは一般的なユニットバスが１７５０ｍｍのヴォイド空間に納まる最低限必要な寸法である。また、６５ｍｍは間仕切壁など、建物の側壁よりも薄い壁でも取り付け可能な控え寸法である。なお、これらの寸法は、ユニットバスと建築部分の各サイズによるため、ここでの寸法は一例である。
【００７４】
以上を設定すると、上述の基本寸法においては、以下の３パターンに分けられる。
（１）側壁Ｃ及び側壁Ｄがともに建物の一般内壁に接する。
（２）側壁Ｃのみが建物の一般内壁に接する。
（３）側壁Ｄのみが建物の一般内壁に接する。
【００７５】
上記の３パターンでは、建物の一般内壁とユニットバス本体の側壁との間の距離、及び建物の間仕切壁とユニットバス本体の側壁との間の距離を、それぞれ同じ寸法にすることができるため、同じ奥行き寸法のドア用額縁または窓用額縁が使用可能となる。
【００７６】
次に、建物の側壁の位置が基本位置でない場合について説明する。つまり、ユニットバスの側壁Ａまたは側壁Ｂが建物の一般内壁に対向して配置される場合についてである。この場合においても、側壁Ａの内側表面または側壁Ｂの内側表面と建物の一般内壁との間には、窓用額縁の奥行き寸法に対応する８５ｍｍの距離が必要であるため、前述した基本寸法は使えない。そのため、この場合は、以下のように設定する。
【００７７】
（４）側壁Ａが建物の一般内壁に対向して配置される場合、側壁Ａの内側表面と建物の一般内壁との間の距離を８５ｍｍに設定し、側壁Ｃの内側表面と建物の間仕切壁との間の距離を６５ｍｍに設定する。
【００７８】
（５）側壁Ｂが建物の一般内壁に対向して配置される場合、側壁Ｂの内側表面と建物の一般内壁との距離を８５ｍｍに設定し、側壁Ｄの内側表面と建物の間仕切壁との間の距離を６５ｍｍに設定する（図１３参照）。
【００７９】
このとき、側壁Ａ又は側壁Ｂにドア、側壁Ｃまたは側壁Ｄに窓が必要なため、上記（４）においては、間仕切壁に対向して配置された側壁Ｂにドアが設けられ、一般内壁に対向して配置された側壁Ｄに窓が設けられる。また、上記（５）においては、間仕切壁に対向して配置された側壁Ａにドアが設けられ、一般内壁に対向して配置された側壁Ｃに窓が設けられる。これにより、上記（４）、（５）のパターンでは、ユニットバス本体の側壁のうち必ず２つの側壁が建物の一般内壁に対向して配置される。
【００８０】
上記（４）、（５）のパターンにおいても、建物の一般内壁とユニットバス本体の側壁との間の距離、及び建物の間仕切壁とユニットバス本体の側壁との間の距離を、それぞれ同じ寸法にすることができるため、同じ奥行き寸法のドア用額縁または窓用額縁が使用可能となる。
【００８１】
次に、ユニットバスの前後左右の側壁のうち３つが建物の側壁（一般内壁又は薄壁内壁）に接する場合について説明する。
【００８２】
（６）側壁Ａ、側壁Ｃ、側壁Ｄのうち何れか２つが建物の一般内壁に対向して配置され、何れか１つが建物の薄壁内壁に対向して配置される場合、側壁Ｂにドアが設けられる。
【００８３】
（７）側壁Ｂ、側壁Ｃ、側壁Ｄのうち何れか２つが建物の一般内壁に対向して配置され、何れか１つが建物の薄壁内壁に対向して配置される場合、側壁Ａにドアが設けられる。
【００８４】
上記（６）、（７）の場合でも、建物の一般内壁とユニットバス本体の側壁との間の距離、及び建物の間仕切壁とユニットバス本体の側壁との間の距離を、それぞれ同じ寸法にすることができるため、同じ奥行き寸法のドア用額縁または窓用額縁が使用可能となる。
【００８５】
次に、本ユニットバス設置方法について具体例を示して説明する。図１５（Ａ）〜図１５（Ｄ）には、本ユニットバス設置方法が適用されて建物に設置されたユニットバスの配置図が示されている。
【００８６】
本ユニットバス設置方法では、ユニットバスのサイズが、１６００ｍｍ×１６００ｍｍ（以下「１６１６」という）、１６００ｍｍ×１８００ｍｍ（以下「１６１８」という）、１６００ｍｍ×２０００ｍｍ（以下「１６２０」という）の場合に、以下の表１に示される関係でユニットバスを設置する。
【００８７】
【表１】
2011196110.tif 000003
【００８８】
なお、表１において、Ａ，Ｂ，Ｃ，Ｄはユニットバス本体の側壁Ａ、側壁Ｂ、側壁Ｃ、側壁Ｄを示し、６５、８５、１１５、１３５は、側壁Ａ、側壁Ｂ、側壁Ｃ、側壁Ｄの各内側表面から建物の壁までの距離をミリメートル単位で示したものである（この点は、後で説明する表２においても同様である）。
【００８９】
また、表１において、◎は、ユニットバスが１６１６サイズで側壁Ａが建物の一般内壁に対向する場合を示している。この場合、側壁Ａの内側表面から建物の壁までの距離と、側壁Ｃの内側表面から建物の壁までの距離とが入れ替わる。これは、側壁Ａ、Ｃと建物の壁とのクリアランスを確保するためである。
【００９０】
また、表１において、★は、側壁Ｂが建物の一般内壁に対向する場合を示している。この場合、側壁Ｂの内側表面から建物の壁までの距離と、側壁Ｄの内側表面から建物の壁までの距離とが入れ替わる。これは、側壁Ｂ、Ｄと建物の壁とのクリアランスを確保するためである。
【００９１】
図１５及び表１に示されるレイアウトでは、ユニットバス本体の側壁から建物の側壁（一般内壁）までの距離（Ｌ１）、及びユニットバス本体の側壁から建物の間仕切壁までの距離（Ｌ２）を、それぞれ同じ寸法にすることができるため、同じ奥行き寸法のドア用額縁または窓用額縁が使用可能となる。
【００９２】
一方、図１６（Ａ）〜図１６（Ｄ）には、従来例に係るユニットバスの配置図が示されている。この従来例では、ユニットバスの設置位置は、建物の側壁および間仕切壁の位置によらず、浴室内の浴槽およびカウンターの位置で決定される。つまり、建物の側壁が側壁Ａ〜Ｄの何れに対向して配置されるかに関わらず、以下の表２に示される関係でユニットバスが設置される。
【００９３】
【表２】
2011196110.tif 000004
【００９４】
図１６及び表２に示される従来のレイアウトでは、ユニットバス本体の側壁から建物の側壁（薄壁内壁）までの距離（Ｌ１）、及びユニットバス本体の側壁から建物の間仕切壁までの距離（Ｌ２）を、それぞれ同じ寸法にすることができないため、同じ奥行き寸法のドア用額縁または窓用額縁を使用することができない。
【００９５】
一方、図１７（Ａ）及び図１７（Ｂ）には、ユニットバスの前後左右の側壁のうち３つが建物の側壁（一般内壁又は薄壁内壁）に接する場合における、本ユニットバス設置方法の適用例がユニットバスの配置図にて示されている。
【００９６】
図１７（Ａ）及び図１７（Ｂ）に示されるレイアウトでは、ユニットバス本体の側壁から建物の側壁（一般内壁）までの距離（Ｌ１）、及びユニットバス本体の側壁から建物の間仕切壁までの距離（Ｌ２）を、それぞれ同じ寸法にすることができるため、同じ奥行き寸法のドア用額縁または窓用額縁が使用可能となる。
【００９７】
これに対し、図１８（Ａ）及び図１８（Ｂ）に示される従来例では、距離Ｌ１、Ｌ２をそれぞれ同じ寸法にすることができないため、同じ奥行き寸法のドア用額縁または窓用額縁を使用することができない。
【００９８】
以上説明したように、本ユニットバス設置方法では、メーターモジュールの建物（住宅）の中に１６００ｍｍサイズのユニットバスを設置するに際し、同じ奥行き寸法のドア用額縁または窓用額縁を使用することができるため、ユニットバスを効率の良く建物に設置することができる。
【００９９】
なお、本発明は、その要旨を逸脱しない範囲で種々変更して実施できるものであり、本発明の権利範囲が上記各実施形態に限定されないことは言うまでもない。
【符号の説明】
【０１００】
１０      ユニットバス
１２      ユニットバス本体
１４      前側壁
１６      後側壁
１８      右側壁
２０      左側壁
２４      天井
２６      天井継ぎ材
２８      壁パネル
３０      平継ぎ補強材
３２      浴室
３４      浴槽
３６      洗い場
４２      テレビ（機器）
４６      配線収容部
５２      配線
５４      シャワーフック
５６      スライドレール
６０      建物の側壁
６２      建物の間仕切壁
７０      ユニットバス
７２      フック（保持手段）
７６      静脈センサ
７８      温度センサ
８０      応力センサ
８２      アルコールセンサ
８６      制御装置
８８      給湯装置
９０      照明器具
９２      換気扇
９４      暖房装置
９６      ジェットバス装置
【図１】
2011196110.tif 000005
【図２】
2011196110.tif 000006
【図３】
2011196110.tif 000007
【図４】
2011196110.tif 000008
【図５】
2011196110.tif 000009
【図６】
2011196110.tif 000010
【図７】
2011196110.tif 000011
【図８】
2011196110.tif 000012
【図９】
2011196110.tif 000013
【図１０】
2011196110.tif 000014
【図１１】
2011196110.tif 000015
【図１２】
2011196110.tif 000016
【図１３】
2011196110.tif 000017
【図１４】
2011196110.tif 000018
【図１５】
2011196110.tif 000019
【図１６】
2011196110.tif 000020
【図１７】
2011196110.tif 000021
【図１８】
2011196110.tif 000022